(57)【要約】【課題】  アンテナ構造を改良して非接触通信距離を大きく確保できるＵＩＭアダプタを提供する。【解決手段】  本発明のＵＩＭアダプタ１は、ＩＳＯ７８１６−２、ＩＳＯ７８１６−３で規定する接触、ＩＳＯ１４４４３で規定する非接触インターフェースを備えるＵＩＭを着脱可能に装着し、（１）非接触交信用の捲線アンテナコイル１１と、（２）接触端子板１２と、（３）該接触端子板を内側に保持する平面な回路基板１４と、を有しているＵＩＭアダプタにおいて、前記非接触交信用捲線アンテナコイル１１の全周の５０％以上の部分が、平面的に見て回路基板外周から空間を隔てた位置を周回するように形成されていることを特徴とする。  上記ＵＩＭアダプタ１は、回路基板外周と捲線アンテナコイル内側間の空間が、０．５ｍｍから３．０ｍｍ幅の範囲であるように形成することが好ましい。【選択図】    図２
2005149357.tif 000002
【特許請求の範囲】
【請求項１】
ＩＳＯ７８１６−２、ＩＳＯ７８１６−３で規定する接触、ＩＳＯ１４４４３で規定する非接触インターフェースを備えるＵＩＭを着脱可能に装着し、
（１）非接触交信用の捲線アンテナコイルと、（２）接触端子板と、（３）該接触端子板を保持する回路基板と、を有しているＵＩＭアダプタにおいて、前記非接触交信用捲線アンテナコイルの全周の５０％以上の部分が、平面的に見て回路基板外周から空間を隔てた位置を周回するように形成されていることを特徴とするＵＩＭアダプタ。
【請求項２】
回路基板外周と捲線アンテナコイル内周の間の空間が、０．５ｍｍから３．０ｍｍ幅の範囲であることを特徴とする請求項１記載のＵＩＭアダプタ。
【請求項３】
捲線アンテナコイルの平面と回路基板の平面の間に、０．５〜３．０ｍｍ厚の空間ができるように捲線アンテナコイルを形成したことを特徴とする請求項１または請求項２記載のＵＩＭアダプタ。
【請求項４】
ＵＳＢコネクタをさらに備えることを特徴とする請求項１記載のＵＩＭアダプタ。
【発明の詳細な説明】
【技術分野】
【０００１】
本発明は、接触と非接触と双方のインターフェースを備えるＵＩＭを着脱可能に装着するとともに、捲線アンテナコイルを有して外部機器と非接触通信が可能なＵＩＭアダプタに関する。
このようなＵＩＭアダプタは、第１に施設や交通機関等の非接触ゲート管理や非接触ショッピング等の決済取引に適用でき、第２に、ＵＳＢコネクタを備えれば、パーソナルコンピュータ（ＰＣ）等のアクセス権限認証用途に使用できる。したがって、そのような非接触通信が求められる媒体、例えば、各種取引用途、定期券や乗車券、各種施設入場券等に好適に用い得るものである。
従って、本発明の関連する技術分野は、ＵＩＭアダプタやＵＩＭの製造・利用の分野、あるいは定期券や乗車券、入場券の発券や取り扱い、または利用分野に関する。
【背景技術】
【０００２】
近年、ＩＳＯ７８１６−２、ＩＳＯ７８１６−３で規定される接触と、ＩＳＯ１４４４３で規定する非接触インターフェースを備えるＩＣカードが実用されている。また一方、ＵＳＢ（ユニバーサル・シリアル・バス）接触とのデュアルインターフェースのＩＣカードも開発されている（特許文献１）。ＵＳＢインターフェースを持つＩＣカードは、パソコンなどのＵＳＢ対応機器との接続を容易にし、社員証カードなどでネットワークアクセス用ＩＤカードとして注目されはじめている。
【０００３】
他方、携帯電話には小型のＳＩＭやＵＩＭ、ＵＳＩＭカードと呼ばれるセキュリティＩＤモジュールが組み込まれてきている。日本でも最新の携帯電話に組み込まれて既に実用化されている。
ＵＩＭ（Ｕｓｅｒ  Ｉｄｅｎｔｉｔｙ  Ｍｏｄｕｌｅ）は、携帯電話会社が発行する契約者情報を記録した小型のＩＣカードであって、携帯電話機に組み込んで利用者の識別に使用する。
【０００４】
これは同様の機能を持つＳＩＭ（Ｓｕｂｓｃｒｉｂｅｒ  Ｉｄｅｎｔｕｔｙ  Ｍｏｄｕｌｅ）から機能拡張が行われたもので、契約者情報以外に電話帳などのプライベート情報やクレジット決済用の個人識別情報などを暗号化して登録することが可能となっている。  ＳＩＭをベースにしていることからＵＳＩＭ（Ｕｎｉｖｅｒｓａｌ  ＳＩＭ）と呼ばれることもある。ＳＩＭはＧＳＭ携帯電話サービスの利用を目的とするが、ＵＩＭは、例えば、アメリカのｃｄｍａ２０００携帯電話機に差し込んで国際ローミングサービスを受けるといった使用方法が考えられている。
このようなＳＩＭまたはＵＩＭは、ＩＣカード製造の既存技術が有るので、ＩＣカードと同サイズのカード体付き形態とすれば、その製造や発行処理が容易である。
【０００５】
そこで、本願出願人は、先に、ＩＳＯ７８１６で規定する接触と、ＩＳＯ１４４４３非接触のインターフェースを備えるＳＩＭホルダーを、特許文献２、特許文献３において提案している。また、特許文献４、特許文献５においては、液晶表示付きＳＩＭリーダライタについて提案している。
【０００６】
【特許文献１】特表２００２−５２５７２０号公報
【特許文献２】特願２００２−２８４８２５号
【特許文献３】特願２００２−３０００７２号
【特許文献４】特願２００３−０４６６５６号
【特許文献５】特願２００３−０４６６５７号
【０００７】
たとえば、特許文献２のＳＩＭホルダーは、図７の外観構成を有するものである。
図７（Ａ）は表面側透視図であるが、ＳＩＭホルダー１は、ＵＳＢコネクタ５２の挿入方向とＳＩＭ２の挿入方向が直線状に構成されていて、右端のＳＩＭ２挿入口１５から挿入されたＳＩＭ２は、ＳＩＭホルダー１内のコンタクト端子板１２の下面側に入って固定されるようになっている。
ＳＩＭホルダー１は、アンテナコイル１１を有していて、その両端は、コンタクト端子板１２のＣ４，Ｃ８端子を介してＳＩＭ２に接続するようにされている。これにより、ＳＩＭ２がアンテナコイルを持たない場合でも、ＳＩＭホルダー１のアンテナコイルにより非接触通信が可能となる。
【０００８】
図７（Ｂ）の裏面側透視図のように、ＳＩＭ２は、コンタクト端子板１２の上面側に挿入されて、そのＳＩＭ２の端子板はコンタクトピン１３に接触する。ＳＩＭホルダーを透明にすれば、ＳＩＭ２の顔写真等が見え、利用者を特定することができる。
ＳＩＭホルダー１を携帯する際は、キー取り付け穴１７に、ストラップ等を通せば、ＳＩＭ２の不用意な脱落を防止できる。
【発明の開示】
【発明が解決しようとする課題】
【０００９】
上記のＳＩＭホルダーまたはＳＩＭリーダライタは、実際に製造してみると、非接触通信機能、特に通信距離が不十分になる問題が検出されていた。
そこで、本願発明者らは、その原因について研究した結果、捲線アンテナコイルの形成方法や構造により通信距離に長短が生じることを見出し、鋭意研究の結果、安定した非接触通信を可能にするアンテナコイル構造を見出し本発明の完成に至ったものである。
なお、本願明細書においては、以降および特許請求の範囲において、ＵＩＭとは、ＳＩＭやＵＳＩＭを含む小型ＩＣカードを総称するものとする。また、ＵＩＭアダプタとは、ＵＩＭを装着して非接触通信機能等を実現する装置であって、前記、ＳＩＭホルダーまたはＳＩＭリーダライタと当該機能においては同一の装置のことである。
【課題を解決するための手段】
【００１０】
上記課題を解決するための本発明の要旨は、ＩＳＯ７８１６−２、ＩＳＯ７８１６−３で規定する接触、ＩＳＯ１４４４３で規定する非接触インターフェースを備えるＵＩＭを着脱可能に装着し、（１）非接触交信用の捲線アンテナコイルと、（２）接触端子板と、（３）該接触端子板を保持する回路基板と、を有しているＵＩＭアダプタにおいて、前記非接触交信用捲線アンテナコイルの全周の５０％以上の部分が、平面的に見て回路基板外周から空間を隔てた位置を周回するように形成されていることを特徴とするＵＩＭアダプタ、にある。
【００１１】
上記において、回路基板外周と捲線アンテナコイル内周の間の空間が、０．５ｍｍから３．０ｍｍ幅の範囲であるようにするのが好ましく、捲線アンテナコイルの平面と回路基板の平面の間に、０．５〜３．０ｍｍ厚の空間ができるように捲線アンテナコイルを形成することも、さらに好ましい。また、ＵＩＭアダプタは、ＵＳＢコネクタを備えるものであってもよい。
【発明の効果】
【００１２】
本発明のＵＩＭアダプタは、ＩＳＯ１４４４３非接触通信機能を備え、安定した十分な通信距離を有するので、電子チケット、電子マネー決済等の各種非接触通信取引用途に使用することができる。
本発明のＵＩＭアダプタは、アンテナコイルが、回路基板の外周から空間を隔てた位置を周回するようにされているため、電磁波が、回路基板によって遮断されず、通信距離を大きくすることができる。
【発明を実施するための最良の形態】
【００１３】
本発明のＵＩＭアダプタについて図面を参照して説明する。
図１は、本発明のＵＩＭアダプタの例を示すブロック構成図、図２は、本発明のアンテナコイル外形を示す平面図、図３は、図２のＡ−Ａ線断面図、図４は、実施例で製造したＵＩＭアダプタを示す外観図、図５は、その回路基板とアンテナコイルを示す図、図６は、従来のアンテナコイル外形を示す平面図、である。
【００１４】
図１のように、ＵＩＭアダプタ１は、回路基板１４と回路基板に保持された接触端子板１２、および回路基板の周囲にアンテナコイル１１を備えている。図１の例では、Ｉ／Ｆ（インターフェース）変換ＩＣ１０とＵＳＢコネクタ２０を有している。
ＵＩＭ２のＣ４，Ｃ８端子には、アンテナコイル１１とＵＩＭのアンテナコイル（ＵＩＭにアンテナコイルが無い場合は、アンテナコイル１１のみ）が接続し、Ｉ／Ｆ変換ＩＣ１０のＩＳＯ７８１６のインターフェース１０１には、ＵＩＭ２のＣ５、Ｃ１、Ｃ２、Ｃ７、Ｃ３の５端子が接続するようにされている。
【００１５】
Ｉ／Ｆ変換ＩＣ１０は、ＵＩＭからの信号をＵＳＢコネクタに適合するように、プロトコルおよびフォーマット変換を行うＩＣチップであって、ＩＳＯ７８１６インターフェース１０１とＩ／Ｆ変換プロセッサ１０２、およびＵＳＢＩ／Ｆ１０３を有している。
Ｉ／Ｆ変換ＩＣ１０や接触端子板１２は回路基板１４に実装されている。
ただし、本発明のＵＩＭアダプタ１は、Ｉ／Ｆ変換ＩＣ１０やＵＳＢコネクタ２０を有することは必須ではなく、接触端子板１２を含む回路基板１４とアンテナコイル１１を有することが要件とされる。
【００１６】
図２は、アンテナコイル１１の平面外形を示す。アンテナコイルは、例えば、細径の銅巻線束からなり、回路基板１４や接触端子板１２の周囲を数回ターンするように形成されている。矩形状のＵＩＭアダプタ１の中に実装するためには、捲線束は、矩形リング状の平面に形成するのが好ましいが、ＵＩＭアダプタ１の外形や内部構造に合わせて変形させることは可能である。
経験的に銅線の太さ（直径φ）は、０．２８〜０．３０ｍｍの範囲で好結果が得られることが確認されており、巻数は８ターン程度となる。本発明のＵＩＭアダプタ程度のアンテナサイズであると、これ以上ターン数を増やすと、共振周波数が小さくなり、通信不可能となる。
【００１７】
図２のように、アンテナコイル１１は、回路基板１４や接触端子板１２の平面外観から見て、その大半が、回路基板１４の領域に入らないように形成されている。好ましくは、回路基板１４や接触端子板１２の領域から立体的に見ても（側面から見ても）一定の空間を隔てるように形成する。
図３のように、アンテナコイル１１は、上蓋部１８と下側ケース部１９からなるケーシング内にある。図３の例では、回路基板１４の下面であって、下側ケース部１９側に巻線アンテナコイル１１が設けられている。ただし、回路基板１４から一定の空間距離を介して隔てていればよく、下側に位置することには限られない。
図２も図３も図示の都合上、アンテナコイルは分散した巻線状態になっているが、実際は水平または垂直に線間を密着して巻かれるものである。なお、被覆銅線であるため短絡は生じない。
【００１８】
図１の例のように、ＵＩＭ２からの信号をＵＳＢコネクタ２０に接続する場合は、アンテナコイル１１は、当該コネクタ部分を通過するので、アンテナコイル１１の全周が回路基板やＵＳＢコネクタ２０部分を通過しないようにすることはできないが、少なくともアンテナコイル全周の５０％以上の領域が、当該回路基板や導体部分から離れていれば、所定の効果を有することが確認されている。
【００１９】
回路基板１４や接触端子板１２から隔てる距離ｄ１（図２参照）は、０．２ｍｍもあれば効果を生じるが、十分な効果を有するためには、０．５ｍｍから３．０ｍｍ程度離れることが好ましい。３．０ｍｍを超えても、本来構わないが、通信距離のそれ以上の拡大はあまりなく、また、ＵＩＭアダプタ１自体の外形が大きくなってしまう問題が生じる。側面から見た場合の垂直距離も同様である。
アンテナコイル１１を回路基板１４や接触端子板１２から隔てるためには、アンテナコイル１１を支えるポールや懸架する部材を回路基板１４やケーシングのコーナー部等に設けるのが好ましい。これは、プラスチック材料による棒状体や突起部等であってよい。
【００２０】
回路基板１４や接触端子板１２が純粋に誘電体であるプラスチック材料のみであれば、アンテナコイルがその影響を受ける理由は明確ではないが、このような効果を生じるのは、回路基板１４や接触端子板１２に含まれる配線材料や金属部品等の影響により、アンテナコイル１１が受ける電磁波の遮断を最小にできるからと解される。
後述する実施例において、このように、回路基板や接触端子板から一定の距離を確保することで、通信距離が顕著に拡大することが認められている。
【００２１】
図１の例においては、Ｃ５（ＧＮＤ）、Ｃ１（Ｖｃｃ）、Ｃ２（ＲＳＴ）、Ｃ７（Ｉ／Ｏ）、Ｃ３（ＣＬＫ）が、ＵＳＢ／ＩＳＯ７８１６変換ＩＣ１０に導かれ、ＵＳＢコネクタ２０への配線は、ＧＮＤ、Ｖｃｃ、Ｄ＋、Ｄ−となっている。
前述した特許文献１には、ＵＳＢ機能を有するＩＣチップが記載され、ＵＳＢ（Ｄ＋）がＣ４端子を、ＵＳＢ（Ｄ−）がＣ８端子を利用する例が記載されているが、図１例示のＵＩＭアダプタ１は、ＵＳＢ／ＩＳＯ７８１６変換ＩＣ１０を使用するので、従来機能のデュアルＩＣモジュールを使用できる。
また、アンテナコイル１１の端子には、Ｃ４とＣ８端子を利用するので、８端子以上の特設端子板を有する端子をＵＩＭ２に使用しないでよい利点がある。
【００２２】
ＵＳＢコネクタ２０がＰＣに接続している際は、非接触通信機能は遮断されるが、非接続時には、非接触インターフェースを使いコンビニやレストランでの支払いや交通機関の改札や施設の入退室管理に利用することができる。
【００２３】
本発明に使用するＵＩＭ２は、ＩＳＯ７８１６−２、ＩＳＯ７８１６−３で規定する接触、ＩＳＯ１４４４３で規定する非接触インターフェースを備えるものである。ＵＩＭ２の接触端子板背面には、接触・非接触デュアルモードのＩＣモジュールが装着されている。ＵＩＭ２の形状は、ＧＳＭ（Ｇｌｏｖａｌ  Ｓｙｓｔｅｍ  ｆｏｒ  Ｍｏｂｉｌｅ  ｃｏｍｍｕｎｉｃａｔｉｏｎ）および３ＧＰＰ（３ｒｄ  Ｇｅｎｅｒａｔｉｏｎ  Ｐａｒｔｎｅｒｓｈｉｐ  Ｐｒｏｊｃｔ）で規定するもので、長辺が２５ｍｍ、短辺が１５ｍｍの基板からなるものである。厚みは、０．７６ｍｍの均一な薄板状のものである。
【実施例１】
【００２４】
図４に図示するようなＵＩＭアダプタで、図５の回路基板とアンテナ構造のＵＩＭアダプタ１を製造した。
図４（Ａ）は、その上面図、図４（Ｂ）は、背面図、図４（Ｃ）は、図４（Ａ）のＡ−Ａ線断面図、である。図５は、回路基板とアンテナコイルを示す平面図である。
なお、ＵＩＭアダプタ１のいずれの面側を上面としても構わないが、図４では、図７と異なり、ＵＩＭ２の顔写真２１が見える側を上面としている。従って、上蓋部、下側ケース部も図７の場合とは、逆の表示になっている。
【００２５】
図４図示のＵＩＭアダプタ１は、ポリカーボネート樹脂の射出成形による上蓋部１８と下側ケース部１９とからなり、その下側ケース部が形成する空間内部に接触端子板１２や回路基板１４、アンテナコイル１１を内蔵している。ただし、上蓋部１８のＵＩＭ挿入口１５側と、ＵＩＭ２の停止端部までは薄肉に成形してＵＩＭを挿入して固定できるようにした。また、ＵＩＭ２の停止位置では、ＵＩＭ２部分を透明にしてＵＩＭ２の顔写真が透視できるよにうしたが、その他の部分は半透明な状態になるようにした。上蓋部１８には、ＵＩＭ取り出しスライド１６やキー取り付け穴１７も設けられている。
【００２６】
従来のＳＩＭホルダーと同様に、ＵＳＢコネクタ２０の挿入方向とＵＩＭ２の挿入方向が直線状になるように構成し、右端のＵＩＭ２挿入口１５から挿入されたＵＩＭ２は、接触端子板１２の上面側に入って固定されるようにした。
ＵＳＢコネクタ２０の突出部を含めない、成型部全長は５５ｍｍ、幅は２１ｍｍ、中央部厚みは、１１ｍｍとなった。ＵＳＢコネクタ２０の突出長さは、１２ｍｍである。
【００２７】
図４（Ａ）（Ｂ）（Ｃ）のように、ＵＩＭアダプタ１は回路基板１４の上面側に接触端子板１２を有し、背面側にアンテナコイル１１とＵＳＢ／ＩＳＯ７８１６変換ＩＣ１０を有している。接触端子板１２は、厚み２．６ｍｍからなるＡＢＳ樹脂製のものとし、ＵＩＭ２接触端子板の８端子と接触する８本の金めっきしたコンタクトピン１３（図５参照）を有している。各コンタクトピン１３とＩ／Ｆ変換ＩＣ１０またはアンテナコイル間には必要な配線がなされている。
【００２８】
図５のように、回路基板１４の周囲に、矩形リング状に巻いたアンテナコイル１１を配置してその両端を、接触端子板１２のＣ４，Ｃ８端子に接続し、当該端子を介してＵＩＭ２に接続できるようにした。
アンテナ線には、直径０．３ｍｍの被覆銅線を用い、８回巻き（８ターン）にして、その外形がおよそ３８ｍｍ×１６ｍｍの矩形リング状平面になるようにした。
【００２９】
回路基板１４には、厚み、０．８ｍｍのエポキシ樹脂製基板を用い、その外形を図５のように、４偶が突出した糸巻き型とした。当該４偶に対面する部分の下側ケース部１９に、高さ２．５ｍｍ、直径１．０ｍｍのポリカーボネート樹脂からなるポール１１Ｐを立て、当該４本のポール部分で巻線の方向が９０度屈曲するようにして、ポールの周囲に銅線を巻き付けるにようにした。
なお、回路基板１４の狭幅部Ｌ１は１１ｍｍ、２本のポールの外面間距離Ｌ２は、１４ｍｍ、２本のポールの外面間距離Ｌ３は、３７ｍｍ、回路基板１４の狭幅となっている部分の長さＬ４は、２５ｍｍになるようにした。
従って、回路基板１４とアンテナコイル１１の捲線束との間には、計算上、１．５ｍｍの間隔ｄ２が空くことになり、アンテナコイル１１の間隔ｄ２を有する部分は、全体の約４９％となる。
【００３０】
回路基板１４自体の長さは、３５ｍｍとなるようにし、その一端側にＵＳＢコネクタ２０を接続した。ＵＳＢコネクタ２０側と、ＵＩＭ２の挿入口側は回路基板１４の長さを部分的に狭幅にする加工を行なわなかった。ただし、アンテナコイル１１は、回路基板に接近しているが、その外側を通るようにした。
【００３１】
ＵＩＭ２には、接触型・非接触型兼用のＩＣモジュールを装着したが、ＵＩＭ２自体にはアンテナコイルを形成しなかった。接触型・非接触型兼用ＩＣモジュールには、特性の異なるＩＣチップＡによるモジュールとＩＣチップＢによるモジュールを装着した。
なお、ＩＣチップＡとＩＣチップＢとは、ＩＣチップの製造メーカーが異なる他、各種の電気的特性も異なるものである。具体的には、Ｃ４−Ｃ８間の容量やリーダライタに必要な電力にも差異があるものである。
【実施例２】
【００３２】
回路基板１４以外の条件を実施例１と同一にして、実施例２を以下の回路基板の条件で行った。
回路基板１４の厚み、材質は実施例１と同一条件にし、ポール１１Ｐの形成や被覆銅線の太さやターン数の条件も同一とした。
回路基板１４の狭幅部Ｌ１は１３ｍｍ、２本のポールの外面間距離Ｌ２は、１４ｍｍ、２本のポールの外面間距離Ｌ３は、３７ｍｍ、回路基板１４の狭幅となっている部分の長さＬ４は、２５ｍｍになるようにした。
従って、回路基板１４とアンテナコイル１１の捲線束との間には、計算上、０．５ｍｍの間隔ｄ２が空くことになり、アンテナコイル１１の間隔ｄ２を有する部分は、全体の約４９％となる。
ＵＩＭ２には、接触型・非接触型兼用のＩＣモジュールを装着したが、ＵＩＭ２自体にはアンテナコイルを形成しなかった。接触型・非接触型兼用ＩＣモジュールには、実施例１と同一にし、特性の異なるＩＣチップＡによるモジュールとＩＣチップＢによるモジュールを装着した。
（比較例）
【００３３】
実施例と同一の条件で同一構造に、ＵＩＭアダプタ１の上蓋部１８と下側ケース部１９を樹脂成型した。回路基板１４と接触端子板１２も同様にしたが、回路基板１４の形状は、１４ｍｍ×３５ｍｍの矩形状とし、その４偶に対面する部分の下側ケース部１９に、高さ１．５ｍｍ、直径１．０ｍｍのポリカーボネート樹脂からなるポールを立て、当該４本のポール部分で巻線の方向が９０度屈曲するようにして、ポールの周囲に銅線を巻き付けるにようにした。巻線には、直径０．３ｍｍの被覆銅線を８回巻き（８ターン）にして、アンテナコイル１１を形成した。その結果、アンテナコイル１１の外周は、回路基板１４の外周線とほぼ一致する位置になった。
なお、比較例のＵＩＭにも、実施例１、実施例２と同一にし、ＩＣチップＡとＩＣチップＢの２種のＩＣチップを装着したＵＩＭを使用して試験を行った。
【００３４】
表１は、各実施例と比較例の非接触通信距離を比較した表、表２は、実施例の向上率を示す表である。表１の数値は、非接触型リーダライタ（デンソーウェーブ株式会社製「ＰＲ−１００ＰＫ」）を用いて、ＵＩＭアダプタ１が交信する限界となるリーダライタ表面からの距離を測定したものである。
表１のように、ＩＣチップＡもＩＣチップＢも、実施例は比較例よりも通信距離が大きくなっている。
また、表２のように、実施例１においてＩＣチップＡを用いた場合は、従来型の比較例に比べて、本発明のＵＩＭアダプタ１は、約７０％の通信距離拡大があり、ＩＣチップＢを用いた場合は、約４３％の通信距離拡大が認められた。
実施例２の場合においても、ＩＣチップＡを用いた場合は、従来型の比較例に比べて本発明のＵＩＭアダプタ１は、約４１％の通信距離拡大があり、ＩＣチップＢを用いた場合は、約２１％の通信距離拡大が認められた。
なお、向上率（％）の算出は、
［（実施例の通信距離−比較例の通信距離）／比較例の通信距離］×１００  による。
【００３５】
【表１】
2005149357.tif 000003
【００３６】
【表２】
2005149357.tif 000004
【図面の簡単な説明】
【００３７】
【図１】本発明のＵＩＭアダプタの例を示すブロック構成図である。
【図２】本発明のアンテナコイル外形を示す平面図である。
【図３】図２のＡ−Ａ線断面図である。
【図４】本発明の実施例で製造したＵＩＭアダプタを示す外観図である。
【図５】ＵＩＭアダプタの回路基板とアンテナコイルを示す図である。
【図６】従来のアンテナコイル外形を示す平面図である。
【図７】従来のＳＩＭホルダーの外観構成を示す図である。
【符号の説明】
【００３８】
１    ＵＩＭアダプタ
２    ＵＩＭ
１０    Ｉ／Ｆ変換ＩＣ
１１    アンテナコイル
１２    接触端子板
１３    コンタクトピン
１４    回路基板
１５    挿入口
１６    ＵＩＭ取り出しスライド
１７    キー取り付け穴
１８    上蓋部
１９    下側ケース部
２０    ＵＳＢコネクタ
２１    顔写真
２２    ＵＩＭ接触端子板
２３    切り欠き部
【図１】
2005149357.tif 000005
【図２】
2005149357.tif 000006
【図３】
2005149357.tif 000007
【図４】
2005149357.tif 000008
【図５】
2005149357.tif 000009
【図６】
2005149357.tif 000010
【図７】
2005149357.tif 000011